(57)【特許請求の範囲】
【請求項１】
取付用枠部材の室内側部にカーテンウオールユニットをファスナーで取付けてユニットとし、この取付用枠部材を建物躯体に取付けることで複数のユニットを建物の上下、左右方向に配設したカーテンウオールであって、
前記ファスナーの室外側部は取付用枠部材の室内側部に取付けてあり、このファスナーの室内側部は上下に隣接したカーテンウオールユニットの縦枠に跨って取付けてあることを特徴とするカーテンウオール。
【請求項２】
前記上下に隣接したカーテンウオールユニットの縦枠はジョイントスリーブで連結され、このジョイントスリーブに設けたナット部材に螺合したボルトでファスナーの室内側部における下端部分が下の縦枠に連結され、
前記上の縦枠に設けたナット部材に螺合したボルトでファスナーの室内側部における上端部分が上の縦枠に連結されている請求項１記載のカーテンウオール。
【請求項３】
前記ユニットにおける縦枠最上部にジョイントスリーブが上下スライド自在に設けられ、
このジョイントスリーブは落下防止具を備え、この落下防止具が縦枠上端面に接することで自重により落下しないように支持され、かつ前記落下防止具によりジョイントスリーブを上方にスライド可能である請求項２記載のカーテンウオール。
【請求項４】
前記ファスナーは、縦部材の室内側部に取付けられる取付用部材と連結部材を上下方向に位置調整可能に連結した一次ファスナーと、縦枠に取付けられる取付用部材と連結部材を縦軸回りに面内方向揺動可能に連結した二次ファスナーを備え、
前記一次ファスナーの連結部材と二次ファスナーの連結部材が面外方向に位置調整可能に連結されている請求項１又は２又は３記載のカーテンウオール。
【請求項５】
前記複数の縦部材と複数の横部材で取付用枠部材を形成し、この取付用枠部材に複数のカーテンウオールユニットを上下方向、左右方向に配設してユニットとした請求項１〜４いずれかの１項記載のカーテンウオール。
【発明の詳細な説明】
【０００１】
【発明の属する技術分野】
本発明は、建物の外壁を形成するカーテンウオールに関する。
【０００２】
【従来の技術】
建物躯体に方立を取付け、左右の方立間に上下横枠、無目等を連結して方形枠部を形成し、この方形枠部にパネル、ガラス、障子等の面材を装着した方立式のカーテンウオールが知られている。
また、上枠と下枠と左右の縦枠を連結して方形枠とし、この方形枠にパネル、ガラス、障子等の面材を装着してカーテンウオールユニットとし、このカーテンウオールユニットを建物躯体に取付けたユニット式のカーテンウオールが知られている。
【０００３】
【発明が解決しようとする課題】
前述の方立式のカーテンウオール、ユニット式のカーテンウオールの外観は、方立、上下横枠、無目、縦枠、上枠、下枠が室外側から見える意匠を呈する。
また、前述の方立、縦枠は面材を支持する機能を有するので、必然的にその外観意匠に制約を受ける。
このために、従来のカーテンウオールの外観には制約があり、自由な外観のカーテンウオールを形成することは難しい。
【０００４】
このことを解消するために、取付用枠部材の室内側部にカーテンウオールユニットを取付けてユニットとし、その取付用枠部材を建物躯体に取付け、取付用枠部材に意匠性を持たせることにより表情豊かな外観のカーテンウオールが提案できる。
また、このカーテンウオールは取付用枠部材の外観意匠を変えることで自由な外観のカーテンウオールを形成できる。
【０００５】
前述のカーテンウオールを実用化するには、取付用枠部材とカーテンウオールユニットの連結及び、上下に隣接するユニットのカーテンウオールユニット相互の連結が問題である。
【０００６】
そこで、本発明は前述の課題を解決できるようにしたカーテンウオールを提供することを目的とする。
【０００７】
【課題を解決するための手段】
第１の発明は、取付用枠部材の室内側部にカーテンウオールユニットをファスナーで取付けてユニットとし、この取付用枠部材を建物躯体に取付けることで複数のユニットを建物の上下、左右方向に配設したカーテンウオールであって、
前記ファスナーの室外側部は取付用枠部材の室内側部に取付けてあり、このファスナーの室内側部は上下に隣接したカーテンウオールユニットの縦枠に跨って取付けてあることを特徴とするカーテンウオールである。
【０００８】
第２の発明は、第１の発明において前記上下に隣接したカーテンウオールユニットの縦枠はジョイントスリーブで連結され、このジョイントスリーブに設けたナット部材に螺合したボルトでファスナーの室内側部における下端部分が下の縦枠に連結され、
前記上の縦枠に設けたナット部材に螺合したボルトでファスナーの室内側部における上端部分が上の縦枠に連結されているカーテンウオールである。
【０００９】
第３の発明は、第２の発明において前記ユニットにおける縦枠最上部にジョイントスリーブが上下スライド自在に設けられ、
このジョイントスリーブは落下防止具を備え、この落下防止具が縦枠上端面に接することで自重により落下しないように支持され、かつ前記落下防止具によりジョイントスリーブを上方にスライド可能であるカーテンウオールである。
【００１０】
第４の発明は、第１又は第２又は第３の発明において前記ファスナーは、取付用枠部材の室内側部に取付けられる取付用部材と連結部材を上下方向に位置調整可能に連結した一次ファスナーと、取付用枠枠に取付けられる取付用部材と連結部材を取付用枠軸回りに面内方向揺動可能に連結した二次ファスナーを備え、
前記一次ファスナーの連結部材と二次ファスナーの連結部材が面外方向に位置調整可能に連結されているカーテンウオールである。
【００１１】
第５の発明は、第１〜第４いずれか１つの発明において前記複数の縦部材と複数の横部材で取付用枠部材を形成し、この取付用枠部材に複数のカーテンウオールユニットを上下方向、左右方向に配設してユニットとしたカーテンウオールである。
【００１２】
【作  用】
第１の発明によれば、室外側から取付用枠部材が見える外観のカーテンウオールであるので、その取付用枠部材の外観意匠を変えることで自由な外観のカーテンウオールを形成できる。
また、取付用枠部材の室内側部にファスナーの室外側部を取付け、このファスナーの室内側部をカーテンウオールユニットの縦枠に取付けることで取付用枠部材にカーテンウオールユニットを簡単に取付けできる。
しかも、ファスナーの室内側部は、上下に隣接するカーテンウオールユニットの縦枠に跨って取付けてあるので、このファスナーによって縦枠相互が連結されるから、その縦枠相互を強固に連結できる。
【００１３】
第２の発明によれば、ファスナーの室内側部をカーテンウオールユニットの縦枠にボルトで固着することでその縦枠とジョイントスリーブが連結されるので、縦枠相互の連結作業を効率良くできる。
【００１４】
第３の発明によれば、ユニットを建物躯体に取付けた後に、その既設のユニットの上に次のユニットを取付ける際に、既設のユニットの縦枠最上部に設けたジョイントスリーブが邪魔にならない。
次のユニットを取付けた後にジョイントスリーブを上方にスライドして次のユニットの縦枠最下部に嵌合して連結できる。
したがって、既設のユニットの上にユニットを取付ける際にジョイントスリーブが邪魔にならないと共に、そのジョイントで上下の縦枠を容易に連結できる。
【００１５】
第４の発明によれば、ファスナーの一次ファスナーの取付用部材と連結部材を上下方向に位置調整することでカーテンウオールユニットの取付け位置を上下に調整できる。
一次ファスナーの連結部材と二次ファスナーの連結部材を面外方向に位置調整することでカーテンウオールユニットの取付け位置を面外方向に調整できる。
したがって、カーテンウオールユニットの取付け位置を上下方向、面外方向に調整できる。
【００１６】
また、二次ファスナーの連結部材が取付用部材に対して縦軸回りに面内方向に揺動可能であるので、カーテンウオールユニットは縦部材に対して面内方向に揺動変位する。
したがって、カーテンウオールユニットの層間変位を吸収できる。
【００１７】
第５の発明によれば、１つのユニットを取付けることで複数のカーテンウオールユニットを一度に建物躯体に取付けできるので、カーテンウオールを効率良く施工できる。
【００１８】
【発明の実施の形態】
図１と図２と図３に示すように、複数の縦部材１を複数の横部材２で左右方向に間隔を置いて連結することで取付用枠部材３を形成する。
前記複数の縦部材１の室内側部にカーテンウオールユニット４を上下方向に複数取付けることで第１，第２，第３のユニット５，６，７を形成している。
前記第１，第２，第３のユニット５，６，７の各縦部材１の上端部分が建物躯体、例えば床スラブ８に固着した補助躯体９にそれぞれ取付けられる。
前記第１のユニット５の左右両側に第２，第３のユニット６，７が配設され、それらは図３に示すように円孤形状に湾曲している。
【００１９】
前記縦部材１は、室外側寄りの第１縦材１０と室内側寄りの一対の第２縦材１１と、第１縦材１０と一対の第２縦材１１に亘ってそれぞれ水平に連結した複数の第１補強横材１２と、第１縦材１０と一対の第２縦材１１に亘って斜めに連結した複数の第２補強横材１３で平面形状が三角形のトラス形状である。
この一対の第２縦材１１の上端部分が前記補助躯体９に固着してある。
【００２０】
前記横部材２は上下の横材１４間に縦材１５を固着した形状で、その上下の横材１４が隣接した縦部材１の一対の縦材１１に固着してある。
なお、第２，第３のユニット６，７の横部材２は、第１のユニット５の縦部材１の縦材１１に固着してある。
【００２１】
前記カーテンウオールユニット４は図４に示すように、左右の縦枠２０間に上枠２１、無目２２、下枠２３を横架した複数の枠部２４を有する枠体２５と、この枠体２５の各枠部２４に装着した面材２６で形成してある。
【００２２】
前記第１のユニット５は、左右方向に７つのカーテンウオールユニット４が配設され、かつ上下方向に３つのカーテンウオールユニット４が配設してある。
前記第２のユニット６、第３のユニット７は、左右方向に６つのカーテンウオールユニット４が配設され、かつ上下方向に３つのカーテンウオールユニット４が配設されている。
【００２３】
前記第１のユニット５の取付用枠部材３は、３つの縦部材１を備えている。
前記第２，第３のユニット６，７の取付用枠部材３は、２つの縦部材１を備えている。
前記第１，第２，第３のユニット５，６，７における前記縦部材１と対向するカーテンウオールユニット４の面内方向寸法（左右の縦枠２０の間隔）は縦部材１の一対の第２縦材１１の間隔と略同一で、このカーテンウオールユニット４を形成する枠体２５の最上部の枠部２４に補助躯体９が貫通し、その補助躯体９と縦部材１の一対の第２縦材１１が固着される。
【００２４】
前記左右に隣接した２つのカーテンウオールユニット４の隣接した縦枠２０はファスナー４０で前記取付用枠部材３の室内側部にそれぞれ連結してある。
具体的には、前記縦部材１と対向したカーテンウオールユニット４の縦枠２０はファスナー４０で縦材１１にそれぞれ連結してある。このカーテンウオールユニット４以外のカーテンウオールユニット４の縦枠２０はファスナー４０で横部材２の横材１４に連結してある。
【００２５】
前記縦枠２０は図５に示すように、室内側寄りに外向凹部２７、室内外側方向中間に内向凹部２８、室外側寄りに外向き凹部２９を有する断面形状である。
前記左右他方の縦枠２０は図５に示すように、室内側寄りに一対の突出片３０、室内外側方向中間に内向凹部３１、室外側寄りに突出片３２を有する断面形状である。
各内向凹部２８，３１間に面材２６（ガラス）の左右縦縁部が装着されてシール材３３でシールしてある。
【００２６】
そして、左右に隣接した一方のカーテンウオールユニット４の左右一方の縦枠２０と他方のカーテンウオールユニット４の左右他方の縦枠２０が、外向凹部２７，２９と突出片３０，３２を嵌め込んで連結される。
上下に隣接するカーテンウオールユニット４の縦枠２０は、図６のようにその室外側寄り部分にジョイントスリーブ３４を嵌合して連結される。
【００２７】
前記上枠２１、無目２２、下枠２３は図６に示すように、縦枠２０よりも見込み寸法（室内外側方向の寸法）が小さい。
上枠２１の室内側寄りに上向き凹部３５が形成してあり、下枠２３の室内側寄りに下向き突部３６が形成してある。
この下向き突部３５が、前記上向き凹部３５に取付けた上向きコ字状の枠補強材３７に嵌まり合い、その嵌まり合った部分がシール材３８でシールされる。
【００２８】
前記ファスナー４０は図７，図８，図９に示すように、一次ファスナー４１と二次ファスナー４２を備えている。
前記一次ファスナー４１は取付用部材４３と連結部材４４を備え、その連結部材４４は縦片４５と上下の横片４６で略コ字形状で、その上下の横片４６に左右方向（面内方向）に向うねじ孔４７が形成してある。なお、ねじ孔４７は一部分が下方、上方に開口している。
取付用部材４３は縦板状で、その一対の透孔４８と縦片４５の上下方向の長孔４９にボルト５０を挿通してナット５１を螺合することで、取付用部材４３と連結部材４４が上下方向に位置調整可能に連結してある。
【００２９】
前記縦部材１を形成する縦材１１の室内側面には第１縦板５２が室内側に向けて固着され、この第１縦板５２に第２縦板５３が左右方向に向けて固着されて取付座５４を形成している。
この第２縦板５３に取付用部材４３がボルト・ナット５５で固着され、一次ファスナー４１は縦材１１の室内側部に室内側に向けて取付けてある。つまり、取付用部材４３がファスナー４０の室外側部を形成している。
【００３０】
前記二次ファスナー４２は、一対の取付用部材５６と一対の連結部材５７を備えている。
前記取付用部材５６は縦板５８と上下一対の横片５９を備えている。
前記連結部材５７は縦板状で、その室内側寄り部分５７ａの上下寸法が室外側寄り部分５７ｂよりも小さく、その室内側寄り部分５７ａが前記上下一対の横片５９間に挿入され、上の横片５９から室内側寄り部分５７ａの縦孔６０にボルト６１を挿通して下の横片５９から下方に突出し、かつナット６２を螺合することで連結部材５７と取付用部材５６が縦軸回りに揺動可能に連結してある。
【００３１】
前記連結部材５７の室外側寄り部分５７ｂの上下には面外方向（室内外側方向）の長孔６３がそれぞれ形成され、この長孔６３からボルト６４を前記ねじ孔４７にねじ合して連結部材５７を連結部材４４の上下横片４６の左右両端面に押しつけて連結してある。６５は座金である。
このようであるから、一次ファスナー４１の連結部材４４と二次ファスナー４２の連結部材５７は面外方向に位置調整可能に連結される。
【００３２】
前記最上部のファスナー４０を形成する二次ファスナー４２の取付用部材５６は、下のユニット（例えば第１のユニット５）の最上部のカーテンウオールユニット４を形成する縦枠２０の上端部分と、上のユニット（例えば第１のユニット５）の最下部のカーテンウオールユニット４を形成する縦枠２０の下端部分に跨ってボルト６６で取付けられる。つまり、取付用部材５６がファスナー４０の室内側部を形成している。
前記ボルト６６は縦枠２０の上端部分に嵌合したジョイントスリーブ３４に固着した第１のナット部材６７及び縦枠２０の下端部分に固着した第２のナット部材６８にそれぞれ螺合している。
前記第２のナット部材６８はコ字形状の取付片６９に固着され、この取付片６９が縦枠２０に嵌合し、かつビス７０で固着してある。
なお、前記最上部のファスナー４０以外のファスナー４０を形成する取付用部材５６は縦枠２０の室外側部分にボルト・ナットで取付けられる。
【００３３】
前記最上部のカーテンウオールユニット４を形成する縦枠２０の上端部分に嵌合したジョイントスリーブ３４は、図９に示すように縦枠２０に沿って上下スライド自在で、そのジョイントスリーブ３４の上端部分に落下防止具、例えばビス７１が室外側に向けて螺合してあり、このビス７１が縦枠２０の上端面２０ａに当接している。
これによって、ジョイントスリーブ３４は縦枠２０に沿って自重で落下しないように支持され、その上端部分が縦枠２０の上端面２０ａよりも若干上方に突出している。
【００３４】
前記最下部のカーテンウオールユニット４を形成する縦枠２０の室外側縦板２０ｂに、縦溝７２が下端面２０ｃに開口して形成してある。この縦溝７２に前記ビス７１が挿入可能である。
前記ジョイントスリーブ３４には仮保持用の孔７３が形成してある。
ビス７１を手で持ってジョイントスリーブ３４を上方にスライドしてジョイントスリーブ３４の上部を、縦枠２０の上端面２０ａよりも上方に突出すると前述の保持用の孔７３が上下の縦枠２０間に露出し、かつ縦枠２０のビス挿通孔７４とジョイントスリーブ３４に固着したナット６７が位置合せされるようにしてある。
【００３５】
次にカーテンウオールの施工順序を説明する。
最上部のファスナー４０の二次ファスナー４２の取付用部材５６を縦枠２０から外し、他のファスナー４０の二次ファスナー４２の取付用部材５６を縦枠２０に取付けることで、縦部材１と縦枠２０を連結して各第１・第２・第３のユニット５，６，７を組立てる。
【００３６】
第１・第２・第３のユニット５，６，７をクレーン等で吊り上げ、床スラブ８にあらかじめ固着した補助躯体９と各縦部材１の縦材１１を連結して各ユニットを床スラブ８に取付ける。
この時、取付けるユニットの最上部のカーテンウオールユニット４を形成する縦枠２０の上端部分に嵌合したジョイントスリーブ３４はビス７１を上端面２０ａに当接して落下しないように保持する。
【００３７】
次に第１・第２・第３のユニット５，６，７をクレーン等で吊り上げ、前述のようにして取付けたユニットの上方に位置させ、床スラブ８にあらかじめ固着した補助躯体９と縦部材１を連結する。
この時、ジョイントスリーブ３４はビス７１で落下防止されており、そのジョイントスリーブ３４の縦枠２０の上端面２０ａからの突出長さが短かいので、そのジョイントスリーブ３４が邪魔にならない。
【００３８】
作業者がビス７１を手で持ってジョイントスリーブ３４を上方にスライドし、そのジョイントスリーブ３４の上部を上の縦枠２０の下端部分に嵌合する。この時、ビス７１は縦溝７２内に挿入する。
保持用の孔７３にドライバー等の落下防止具（図示せず）を挿入し、その落下防止具を縦枠２０の上端面２０ｃに当接して落下しないように保持する。
二次ファスナー４２の取付用部材５６の下方部分を、ジョイントスリーブ３４に固着した第１のナット部材６７にボルト６６を螺合して下のユニットの縦枠２０に取付け、その取付用部材５６の上方部分を、上のユニットの縦枠２０に取付けた第２のナット部材６９にボルト６６を螺合して取付ける。
【００３９】
このようであるから、最上部のファスナー４０の二次ファスナー４２を形成する取付用部材５６を上下のユニットの縦枠２０間に跨って取付けるので、その取付用部材５６で上下のユニットの縦枠２０を強固に連結できる。
しかも、ジョイントスリーブ３４に第１のナット部材６７を固着したので、より一層強固に上下のユニットの縦枠２０を連結できる。
さらに、ジョイントスリーブ３４を上方にスライドして上のユニットの縦枠２０下端部分に嵌合するので、上のユニットを取付ける時にジョイントスリーブ３４が邪魔にならない。
【００４０】
なお、１つのユニットにおける上下に隣接したカーテンウオールユニット４の縦枠２０は、建物躯体に取付ける以前にジョイントスリーブ３４であらかじめ連結されるので、この上下に隣接した縦枠２０間に跨ってファスナー４０の二次ファスナー４２の取付用部材５６を、前述と同様にジョイントスリーブ３４に固着した第１のナット部材６７に螺合したボルト６６及び、縦枠２０に取付けた第２のナット部材６８に螺合したボルト６６で取付けられる。
また、横部材２の横材１４と縦枠２０を連結するファスナー４０の場合には、その横材１４に取付座５４を固着し、前述と同様に取付けられる。
【００４１】
前述のように、１つの取付用枠部材３に複数のカーテンウオールユニット４を上下方向、左右方向に配設してユニットとしたので、１つのユニットを吊り上げて建物躯体に取付けることで複数のカーテンウオールユニット４を一度に取付けできる。
したがって、１つのカーテンウオールユニット毎に吊り上げて取付けるよりもカーテンウオールの施工効率が向上する。
【００４２】
【発明の効果】
請求項１に係る発明によれば、室外側から取付用枠部材が見える外観のカーテンウオールであるので、その取付用枠部材の外観意匠を変えることで自由な外観のカーテンウオールを形成できる。
また、取付用枠部材の室内側部にファスナーの室外側部を取付け、このファスナーの室内側部をカーテンウオールユニットの縦枠に取付けることで取付用枠部材にカーテンウオールユニットを簡単に取付けできる。
しかも、ファスナーの室内側部は、上下に隣接するカーテンウオールユニットの縦枠に跨って取付けてあるので、このファスナーによって縦枠相互が連結されるから、その縦枠相互を強固に連結できる。
【００４３】
請求項２に係る発明によれば、ファスナーの室内側部をカーテンウオールユニットの縦枠にボルトで固着することでその縦枠とジョイントスリーブが連結されるので、縦枠相互の連結作業を効率良くできる。
【００４４】
請求項３に係る発明によれば、ユニットを建物躯体に取付けた後に、その既設のユニットの上に次のユニットを取付ける際に、既設のユニットの縦枠最上部に設けたジョイントスリーブが邪魔にならない。
次のユニットを取付けた後にジョイントスリーブを上方にスライドして次のユニットの縦枠最下部に嵌合して連結できる。
したがって、既設のユニットの上にユニットを取付ける際にジョイントスリーブが邪魔にならないと共に、そのジョイントで上下の縦枠を容易に連結できる。
【００４５】
請求項４に係る発明によれば、ファスナーの一次ファスナーの取付用部材と連結部材を上下方向に位置調整することでカーテンウオールユニットの取付け位置を上下に調整できる。
一次ファスナーの連結部材と二次ファスナーの連結部材を面外方向に位置調整することでカーテンウオールユニットの取付け位置を面外方向に調整できる。
したがって、カーテンウオールユニットの取付け位置を上下方向、面外方向に調整できる。
【００４６】
また、二次ファスナーの連結部材が取付用部材に対して縦軸回りに面内方向に揺動可能であるので、カーテンウオールユニットは縦部材に対して面内方向に揺動変位する。
したがって、カーテンウオールユニットの層間変位を吸収できる。
【００４７】
請求項５に係る発明によれば、１つのユニットを取付けることで複数のカーテンウオールユニットを一度に建物躯体に取付けできるので、カーテンウオールを効率良く施工できる。
【図面の簡単な説明】
【図１】カーテンウオールの一部外観図である。
【図２】カーテンウオールの一部縦断面図である。
【図３】カーテンウオールの一部横断面図である。
【図４】カーテンウオールの外観図である。
【図５】カーテンウオールの横断面図である。
【図６】カーテンウオールの縦断面図である。
【図７】ファスナーの正面図である。
【図８】ファスナーの平面図である。
【図９】縦枠連結部の斜視図である。
【符号の説明】
１…縦部材
２…横部材
３…取付用枠部材
４…カーテンウオールユニット
５…第１のユニット
６…第２のユニット
７…第３のユニット
８…床スラブ（建物躯体）
９…補助躯体
２０…縦枠
２１…上枠
２２…無目
２３…下枠
３４…ジョイントスリーブ
４０…ファスナー
４１…一次ファスナー
４２…二次ファスナー
４３…取付用部材
４４…連結部材
５６…取付用部材
５７…連結部材
【図１】
0003721533.tif 000002
【図２】
0003721533.tif 000003
【図３】
0003721533.tif 000004
【図４】
0003721533.tif 000005
【図５】
0003721533.tif 000006
【図６】
0003721533.tif 000007
【図７】
0003721533.tif 000008
【図８】
0003721533.tif 000009
【図９】
0003721533.tif 000010